(57)【特許請求の範囲】
【請求項１】
情報表示体と、前記情報表示体の視認者側とは反対側である反視認者側に配置されるケース部材と、前記情報表示体と前記ケース部材とを収納する筐体とを備え、
前記筐体が第１の筐体と第２の筐体とに分割形成されている表示装置において、
前記第２の筐体は、前記ケース部材の前記反視認者側に位置する基部を有し、
前記基部は、前記情報表示体側に延出するように設けられる第１の延出部と、前記基部の前記反視認者側に延出するように設けられる第２の延出部とを備え、
前記第２の延出部には相手側機器との無線通信を行うための通信手段が配置され、
前記ケース部材は、前記第２の延出部に外部応力が付与された際に前記第１の延出部が突き当たるストッパ部を備えていることを特徴とする表示装置。
【発明の詳細な説明】
【技術分野】
【０００１】
本発明は、例えば自動２輪車等の車両に搭載される表示装置に関するものである。
【背景技術】
【０００２】
従来より、この種の表示装置にあっては、例えば下記特許文献１に記載されているものが知られている。この特許文献１に記載の表示装置は、自動２輪車等の車両に搭載された車両用計器からなり、例えば図４に示すように車両情報を表示する情報表示体１と、この情報表示体１の背後側（つまり車両用計器を視認する視認者Ｈ側とは反対側である情報表示体１の反視認者側）に配置される硬質の回路基板２と、この回路基板２に実装される光源３と、この光源３から発せられる照明光を情報表示体１に導くための導光部材４と、この導光部材４を保持するように回路基板２上に載置されるケース部材５と、情報表示体１やケース部材５等の各部を収納する筐体６とを備えている。
【０００３】
この場合、導光部材４は、透光性の合成樹脂材料によって形成され、情報表示体１の背面に沿うように配置される導光本体部４ａと、光源３から発せられる照明光を受光する受光部４ｂとを有する。ケース部材５は、白色の合成樹脂材料からなり、情報表示体１の背後側（反視認者側）に配置され、導光本体部４ａを保持する保持部５ａを有している。
【０００４】
筐体６は、第１の筐体としての上ケース７と、第２の筐体としての下ケース８とに分割形成された構成となっており、上ケース７は、情報表示体１に表示される情報を透視可能な透視部７ａと、この透視部７ａを取り巻くように設けられる黒色の不可視部７ｂとが一体形成された構成となっている。下ケース８は、回路基板２の背後側に位置する基部８ａと、不可視部７ｂに設けられた上ケース７の周壁部７ｃと対をなすように設けられる側壁部８ｂとを有している。
【先行技術文献】
【特許文献】
【０００５】
【特許文献１】特開２０１５−２１９１１０号公報
【発明の概要】
【発明が解決しようとする課題】
【０００６】
ところで、特許文献１に記載の表示装置において、図４中、表示装置の上部中央に対応する基部８ａ箇所から背後側に向けて片持ち梁形状の張出部８ｃが張り出すように設けられ、当該張出部８ｃの上側を向く上面８ｄに携帯端末等の相手側機器と無線通信を行うための通信手段９を両面テープで固定するような場合、図４中、上側から下側に向けて人為的な押圧力Ｘを付与させる必要がある。
【０００７】
なお、通信手段９と回路基板２とは適宜の導通接続手段を用いて接続され、情報表示体１の一部に前記携帯端末側から取得した音楽情報等の外部機器情報を表示可能となる。
【０００８】
ここで、保持部５ａに回路基板２に設けられた孔部２ａを貫通する筒状のボス部５ｂを設けるとともに、ボス部５ｂに対応する基部８ａ箇所に筒部８ｂを設け、ケース部材５と下ケース８とをネジ固定しているような場合（つまりネジＴが筒部８ｂの螺合用孔８ｃとボス部５ｂに設けられた螺合部５ｃとに螺合している場合）、押圧力Ｘに伴う応力が図４中、符号Ｙで示す張出部８ｃ側となる筒部８ｂと基部８ａとの境界部分Ｙに集中して作用し、この境界部分Ｙにて下ケース８（筐体６）が破損する虞があり、この点で更なる改良の余地が残されていた。
そこで本発明は、前述の課題に対して対処するため、筐体が破損する虞のない表示装置の提供を目的とするものである。
【課題を解決するための手段】
【０００９】
本発明は、情報表示体と、前記情報表示体の視認者側とは反対側である反視認者側に配置されるケース部材と、前記情報表示体と前記ケース部材とを収納する筐体とを備え、前記筐体が第１の筐体と第２の筐体とに分割形成されている表示装置において、前記第２の筐体は、前記ケース部材の前記反視認者側に位置する基部を有し、前記基部は、前記情報表示体側に延出するように設けられる第１の延出部と、前記基部の前記反視認者側に延出するように設けられる第２の延出部とを備え、前記第２の延出部には相手側機器との無線通信を行うための通信手段が配置され、前記ケース部材は、前記第２の延出部に外部応力が付与された際に前記第１の延出部が突き当たるストッパ部を備えていることを特徴とする。
【発明の効果】
【００１０】
本発明によれば、初期の目的を達成でき、筐体が破損する虞のない表示装置表示装置を提供できる。
【図面の簡単な説明】
【００１１】
【図１】本発明の実施形態による表示装置の正面図。
【図２】図１のＡ−Ａ断面図。
【図３】同実施形態の変形例による表示装置の要部断面図。
【図４】従来技術による表示装置の断面図。
【発明を実施するための形態】
【００１２】
以下、図１、図２に基づいて、本発明の表示装置を例えば自動２輪車のハンドル中央に搭載される車両用計器に適用した場合を例に挙げて説明する。なお、以下の説明では、車両用計器を正視（視認）する視認者側を前方側とし、当該視認者側とは反対側である反視認者側を背後側とする。
【００１３】
図１、図２において、本実施形態による表示装置としての車両用計器Ｄは、車両の走行速度や車両の走行距離等の各種車両情報を表示する情報表示体１０と、この情報表示体１０の背後側に配置される回路基板２０と、この回路基板２０に実装（配設）される光源３０と、この光源３０から発せられる照明光を情報表示体１０に導くための導光部材４０と、この導光部材４０を保持するように回路基板２０上に載置されるケース部材５０と、車両用計器Ｄの外装ケースを構成する筐体６０とを備えている。
【００１４】
情報表示体１０は、例えば一対の透明基板間に液晶が封入されるとともに当該透明基板の表裏面に偏光板が各々貼り付けられた略矩形状の液晶表示パネルを適用することができる。また、情報表示体１０は、その視認者Ｅ側を向く表示面に前記各種車両情報が表示されるものである。
【００１５】
回路基板２０は、例えばガラスエポキシ系基材に配線パターン（図示せず）が施された硬質配線基板からなり、例えば光源３０と、情報表示体１０の表示制御や光源３０の発光制御を行う制御部（図示せず）と、抵抗、コンデンサ等の回路部品（図示せず）とが前記配線パターンに導通接続されている。
【００１６】
なお、２１は、ケース部材５０に備えられる後述するストッパ部と筐体６０に備えられる後述する第１の延出部とが貫通するように回路基板２０に形成された貫通孔部であり、２２は、ケース部材５０に備えられる後述するボス部が貫通する孔部である。
【００１７】
光源３０は、例えば適宜光を発するチップ型発光ダイオードからなり、導光部材４０に備えられる後述する受光部と対向するように回路基板２０の前面（前方側）に実装（配設）されている。なお、光源３０の個数は、前記受光部の下端面の形状（面積）に対応させて必要な個数だけ設ければよい。
【００１８】
導光部材４０は、透光性合成樹脂材料にて形成され、情報表示体１０の背後に沿うように配置される略矩形平板状の導光本体部４１と、光源３０と対向するように導光本体部４１に一体形成され、光源３０からの照明光を受光する受光部４２とを備えている。
【００１９】
この受光部４２は、導光本体部４１の一側壁部から光源３０の発光面に向けて垂下するように曲げられた構成となっており、その真上には、主に受光部４２内に導入された照明光を導光本体部４１側に反射導光させる傾斜面形状（または曲面形状）からなる反射面４３が設けられている。
【００２０】
４４は、受光部４２及び反射面４３を通じて導光本体部４１内に反射導光された照明光を情報表示体１０側に出射するための平坦面からなる光出射面であり、この光出射面４４は、視認者Ｅ側を向く導光本体部４１の前面に設けられる。
【００２１】
ケース部材５０は、例えば白色系の合成樹脂材料によって形成された樹脂ケースを適用することができ、情報表示体１０の背後側に配置される。このケース部材５０は、主に導光本体部４１を保持する略平板状の保持部５１と、光源３０や受光部４２を囲むように設けられる枠部５２とが一体形成された構成となっている。この場合、保持部５１は、導光本体部４１に導入された照明光を効率よく光出射面４４側に導くための補助反射部としての機能を有する。
【００２２】
なお、図１中、５３は、貫通孔部２１に対応する保持部５１の背面箇所から垂下形成されたリブ形状からなるストッパ部である。なお、ここでのケース部材５０に備えられるストッパ部５３の先端側は、貫通孔部２１に位置しているが回路基板２０の背面から飛び出るようにしてもよい。
【００２３】
また、図１中、５４は、孔部２２に対応する保持部５１の背面箇所から垂下形成されたボス部であり、このボス部５４には固定手段としてのネジＣが螺合するネジ螺合部５４ａが設けられている。
【００２４】
筐体６０は、例えば合成樹脂材料によって形成された樹脂ケースを適用することができ、情報表示体１０と光源３０が実装された回路基板２０と導光部材４０とケース部材５０と（少なくとも情報表示体１０とケース部材５０と）を収納するものである。また、ここでの筐体６０は、前方側に位置する第１の筐体７０と、背後側に位置する第２の筐体８０とに分割形成された構成となっており、第１の筐体７０と第２の筐体８０とはネジ固定等の適宜固定手段によって固定される。
【００２５】
第１の筐体７０は、透光性の合成樹脂材料によって形成された透視部７１と、遮光性（例えば黒色）の合成樹脂材料によって形成された不可視部７２とを備え、情報表示体１０（車両用計器Ｄ）を視認する視認者Ｅは透視部７１を通じて前記各種車両情報を透視（視認）することができるようになっている。また、不可視部７２は、情報表示体１０の周縁部分を覆うように透視部７１に一体形成されている。
【００２６】
第２の筐体８０は、例えば黒色の合成樹脂材料によって形成され、回路基板２０と略平行状態をなすように回路基板２０（ケース部材５０）の背後側に位置する略平板状の基部８１と、不可視部７２の周壁部７２ａと対をなすように設けられる側壁部８２とを有している。
【００２７】
そして、この場合、基部８１は、回路基板２０の貫通孔部２１に対応する基部８１の前面箇所から前方側（つまり情報表示体１０側）に向けて延出（突出）するように設けられる突出部としての第１の延出部８１ａと、図１中、車両用計器の上部中央に対応する基部８１の背面箇所から背後側に延出するように設けられる略平板状の第２の延出部８１ｂと、ボス部５４と当接するようにボス部５４側（情報表示体１０側）に向けて突出形成される筒状部８１ｃとを備えている。
【００２８】
第１の延出部８１ａは、その先端側が逆側から延出しているストッパ部５３の先端側と向かい合う（対峙する）ように貫通孔部２１を貫通している。また、第２の延出部８１ｂは、基部８１の背後側に張り出すように形成された片持ち梁形状の張出部からなる。
【００２９】
また、この場合、第２の延出部８１ｂには、相手側機器（図示せず）と無線通信を行うための通信手段９０が配置されている。通信手段９０は、例えばここでの詳細図示は省略するが、電波を送受信可能なアンテナ等の送受信部を有する送受信用基板と、この送受信用基板を収納するアンテナカバーとで構成された通信ユニットからなり、例えば第１の延出部８１ａ側とを向く面とは反対側となる第２の延出部８１ｂの一方の面Ｐに、両面テープ等の固定手段（図示せず）により手作業で貼り付け固定される。
【００３０】
なお、ここでの詳細図示は省略するが、例えば前記相手側機器を携帯端末とした場合、フレキシブル配線板等の配線部材で回路基板２０と前記送受信基板とを導通接続することで、情報表示体１０の一部に携帯端末側から取得した音楽情報等の外部機器情報を表示可能となる。そして、前記配線部材は、同様にしてここでの詳細図示は省略するが、途中で側壁部８２に設けた第１配線用孔部や前記アンテナカバーに設けた第２配線用孔部に通すことで、その一端側を回路基板２０に導通接続することができ、その他端側を前記送受信基板に導通接続することができる。
【００３１】
なお、筒状部８１には、ネジ螺合部５４ａと連通するように螺合用孔８１ｄが設けられ、ネジＣが螺合用孔８１ｄとネジ螺合部５４ａとの双方に螺合することで、第２の筐体８０とケース部材５０とがネジ固定される。
【００３２】
ところで、上述の通信手段９０を手作業（人為的作業）により第２の延出部８１ｂの一方の面Ｐに貼り付け固定するとき、この手作業による貼り付け固定に伴う外部応力Ｆが、主に第２の延出部８１ｂに対応する基部８１箇所（以下、第１箇所とも言う）から筒状部８１ｃに対応する基部８１箇所（以下、第２箇所）に向かうように付与される。つまり、ここでの外部応力Ｆとは、第２の延出部８１ｂ（一方の面Ｐ）に付与される人為的な押圧力を指すものである。
【００３３】
ここで、本例では、通信手段９０の第２の延出部８１ｂへの接着固定（貼り付け固定）時において、第２の延出部８１ｂに外部応力Ｆが過度に付与された際に、第２の延出部８１ｂ側となる筒状部８１ｃと基部８１ａとの境界部分８１ｅに応力集中が発生しないように、（前記第１箇所と前記第２箇所との間に設けられる）突き当て用リブとしての第１の延出部８１ａがストッパ部５３に突き当たるような構成となっている。
【００３４】
つまり、人為的な押圧力である外部応力Ｆを過度に第２の延出部８１ｂに作用させるべく、通信手段９０を第２の延出部８１ｂに押圧固定した際、この第２の延出部８１ｂの押圧に伴う反力により第１の延出部８１ａが外部応力Ｆが付与される方向とは逆方向に変位（変形）し、第１の延出部８１ａが不動状態となっているストッパ部５３に突き当たる（当接する）ことで、境界部分８１ｅに集中的に作用する応力の一部が第１の延出部８１ａとストッパ部５３との当接部分に分散されるため、境界部分８１ｅに作用する応力集中が従来と比べて緩和され、境界部分８１ｅにて第２の筐体８０（筐体６０）が破損する虞がなくなる。
【００３５】
以上のように本実施形態では、基部８１は、前方側（情報表示体１０側）に延出するように設けられる第１の延出部８１ａと、基部８１の背後側に延出するように設けられる第２の延出部８１ｂとを備え、第２の延出部８１ｂには前記相手側機器との無線通信を行うための通信手段９０が配置され、ケース部材５０は、第２の延出部８１ｂに外部応力Ｆが付与された際に第１の延出部８１ａが突き当たるストッパ部５３を備えているものである。
【００３６】
従って、通信手段９０を固定する際の外部応力Ｆが第２の延出部８１ｂに（過度に）付与された際に、境界部分８１ｅに集中的に作用する応力の一部が第１の延出部８１ａとストッパ部５３との前記当接部分に分散されるため、境界部分８１ｅに作用する応力集中が従来と比べて緩和され、（境界部分８１ｅにて）第２の筐体８０（筐体６０）が破損する虞のない車両用計器Ｄ（表示装置）を提供することができる。
【００３７】
なお、本発明は、上述の実施形態及び図面によって限定されるものではない。本発明の要旨を変更しない範囲で、適宜、実施形態及び図面に変更（構成要素の削除も含む）を加えることが可能である。
【００３８】
例えば、上述した実施形態では、情報表示体１０が液晶表示パネルのごとき計器用ディスプレイからなる例について説明したが、例えば情報表示体１０を、指針（計器用指針）と、指針によって指示される目盛等の表示部を有する表示板（計器用表示板）とから主に構成されるアナログ式計器としてもよい。なお、アナログ式計器とする場合、指針は、指針を駆動するように回路基板２０に実装されるモータ（指針駆動手段）の回転軸に連結される。このとき、光源３０や導光部材４０を廃止することも可能となる。
【００３９】
さらには、第１の延出部８１ａ及びストッパ部５３の形状は、外部応力Ｆが（過度に）付与された際に、境界部分８１ｅに作用する応力集中を緩和できる形状であればあらゆる形状を採用することができ、例えば本実施形態の変形例として図３に示すように第１の延出部８１ａのストッパ部５３への突き当て時において、第１の延出部８１ａやストッパ部５３が破損しないような形状となっていてもよい。具体的には例えば図３では、回路基板２０の背後側に位置する第１の延出部８１ａ箇所の形状が略山形形状（末広がり形状）となっている。また、回路基板２０の前方側に位置するストッパ部５３箇所では、その一部に補強リブ５３ａが一体化された形状となっている。
【符号の説明】
【００４０】
１０    情報表示体
２０    回路基板
２１    貫通孔部
２２    孔部
５０    ケース部材
５１    保持部
５３    ストッパ部
６０    筐体
７０    第１の筐体
７１    透視部
８０    第２の筐体
８１    基部
８１ａ  第１の延出部
８１ｂ  第２の延出部
８１ｃ  筒状部
８２    側壁部
９０    通信手段
Ｆ    外部応力
【図１】
0006631307.tif 000002
【図２】
0006631307.tif 000003
【図３】
0006631307.tif 000004
【図４】
0006631307.tif 000005